(57)【要約】【課題】帳票搬送式のイメージスキャナにおいては、帳票搬送速度誤差要因と、帳票の耳付きや端欠け要因により、帳票画像にずれが生じるケースが考えられ、画像ずれ要因を判別することにより、帳票端基準からの処理対象座標の最適な補正を行うことを目的とする。【解決手段】本発明では、帳票画像上の左右から２点の特徴部位座標を検出して、帳票端基準からの距離をあらかじめ定義した特長部位座標と比較演算することにより、画像ずれの要因が耳付きや端欠け、あるいは帳票搬送速度誤差のどちらであるかを判別でき、また画像ずれ要因に応じた帳票端基準からの適切な座標補正値の算出を行う。【選択図】  図２
2004326672.tif 000002
【特許請求の範囲】
【請求項１】
帳票をイメージスキャナで読取り、帳票画像から帳票記載内容の認識処理、帳票への印刷処理、帳票の切断処理を行う帳票入出力部を備える帳票取引装置において、帳票の左端部付近と右端部付近から２点の特徴部位座標をあらかじめ定義し、イメージスキャナから読取った帳票画像に対し、前記２点の特徴部位座標により処理対象座標の補正を行うことを特徴とする帳票画像処理方法。
【請求項２】
イメージスキャナから得られた帳票画像上の２点の特徴部位座標と、あらかじめ定義されている２点の特徴部位座標とのずれ要因が、帳票の耳付きや端欠けによるものか、あるいは帳票搬送速度の誤差によるものかを判別し、帳票画像のずれ要因に応じた処理対象座標補正を行うことを特徴とする請求項１記載の帳票画像処理方法。
【請求項３】
帳票画像のずれ要因に応じた座標補正値を帳票搬送部に伝送し、この座標補正値で補正されたあらかじめ定義された帳票上の位置に印刷することを特徴とする請求項２記載の帳票画像処理方法。
【請求項４】
前記帳票画像のずれ要因に応じた座標補正値を帳票搬送部に伝送し、この座標補正値で補正されたあらかじめ定義された帳票上の位置を切断することを特徴とする請求項２記載の帳票画像処理方法。
【請求項５】
イメージスキャナから得られた帳票画像上に３点以上の特徴部位座標をあらかじめ定義し、前記３点以上の特徴部位座標によりイメージスキャナから読取った帳票画像に対する処理対象座標の補正することを特徴とする請求項３記載の帳票画像処理方法。
【請求項６】
イメージスキャナから得られた帳票画像上の特徴部位座標をあらかじめ定義し、この特徴部位座標により、搬送方向に関係なくイメージスキャナから読取った帳票画像に対する処理対象座標の補正を行うことを特徴とする請求項５記載の帳票画像処理方法。
【発明の詳細な説明】
【０００１】
【発明の属する技術分野】
本発明は、イメージスキャナにて取込んだ帳票画像に対し、帳票種類を識別して、あらかじめ処理対象座標を定義された帳票認識処理、帳票印刷処理、帳票切断処理を行う際の処理対象座標の補正に関する。
【０００２】
【従来の技術】
従来の帳票画像処理方式では特開２００２−２４８３８号公報（特許文献１）にて、特定した基準画像の基準位置に対する位置ずれを算出して、位置ずれを補正する画像処理方法が提案されている。
【０００３】
【特許文献１】
特開２００２−２４８３８号公報
【０００４】
【発明が解決しようとする課題】
社会には様々な種類の帳票が流通している。同一種類の帳票であっても、帳票に耳が付いていたり、あるいは帳票から耳を切離す際に誤って帳票端を余分に切除してしまったりしているケースもあり、実際に帳票受付け窓口に持ち込まれる帳票は、極めて多様性に富んでいる。
【０００５】
これらの帳票を取扱う受付け窓口の省力化・無人化のため、帳票をイメージスキャナで読取り、帳票画像から帳票記載内容を自動認識させたり、必要に応じて帳票に印刷処理や切断処理を行ったりする帳票取引装置が考案されているが、あらかじめ定義した帳票処理座標に対して、実際には読取った帳票画像には何らかの画像ずれが発生しうるため、いかにこの画像ずれを適切に補正して帳票処理精度を高めるかが、帳票画像処理における課題となっている。
【０００６】
帳票の画像処理を行うには、まずイメージスキャナから帳票画像を取得するが、帳票搬送式のイメージスキャナにおいては、帳票搬送速度誤差要因と、帳票の耳付きや端欠け要因により、帳票画像にずれが生じるケースが考えられる。帳票搬送速度誤差要因による画像ずれは、帳票搬送方向に一定の比率で画像の伸縮が発生する。帳票の耳付きや端欠け要因による画像ずれは、耳付きや端欠けの長さ分だけ帳票画像全体に一様な位置ずれが発生する。
【０００７】
帳票搬送式の帳票入出力部において、帳票端を基準にして帳票上の処理対象座標を決定する方式を採用する場合、高精度に座標補正を行う為には、画像ずれが発生した要因に応じて座標補正量を正確に算出する必要がある。本発明は、画像ずれの要因が耳付きや端欠け、あるいは帳票搬送速度誤差のどちらであるかを判別して、帳票上の処理対象に対して最適な座標補正を行うことを目的とする。
【０００８】
【課題を解決するための手段】
本発明では、帳票画像上の左右から２点の特徴部位座標を検出して、帳票端基準からの距離をあらかじめ定義した特徴部位座標と比較演算することにより、画像ずれの要因が耳付きや端欠け、あるいは帳票搬送速度誤差のどちらであるかを判別でき、また画像ずれ要因に応じた帳票端基準からの適切な座標補正値の算出を行う。
【０００９】
【発明の実施の形態】
以下、本発明の実施形態を図面により詳細に説明する。
図１は、帳票取引装置のー例である金融自動機（ＡＴＭ：ＡｕｔｏｍａｔｅｄＴｅｌｌｅｒ  Ｍａｃｈｉｎｅ）１００内のシステム構成を示す。顧客操作受付部１１０は、利用者に対して操作情報を表示したり、利用者からの操作を受付けたりする処理部である。また、この顧客操作受付部１１０は、現金の入出力を行う現金処理機能、銀行カードや預金通帳を処理する機能を持つ。帳票入出力部１２０は、振込帳票、税金納付帳票などの帳票入力を受付け、帳票の領収印欄に出納印を印刷し、領収書部分を切断して利用者に返却する装置である。
【００１０】
この帳票入出力部１２０は、帳票搬送部１２１、イメージスキャナ部１２２、帳票認識部１２３、帳票印刷部１２４、帳票切断部１２５を備えている。帳票搬送部１２１は、利用者から入力された帳票をイメージスキャナ部１２２、帳票印刷部１２４、帳票切断部１２５のあらかじめ決められた位置へ搬送する。また、帳票切断部１２５にて切り取った帳票の領収書部分を、返却のため利用者側に搬送し、帳票の返却しない部分を回収箱に搬送する。
【００１１】
イメージスキャナ部１２２は、入力された帳票をイメージ情報化し、帳票画像として取込む機能を持つ。帳票認識部１２３は、取込まれた帳票画像を認識し、帳票の種類、帳票の印刷構成、帳票記載事項の情報を特定して認識する。帳票印刷部１２４は、認識した帳票の領収印欄に出納印を印刷する。また、認識した帳票上のあらかじめ決められた位置に取引金額や受付番号などの取引情報を印刷する。
【００１２】
帳票切断部１２５は、認識した帳票の領収書部分を切断する装置である。明細票出力部１３０は、このＡＴＭを操作する利用者の取引記録となる明細票を出力する。通信制御部１５０は、通信ネットワーク１７０との間でデータの送受信を行う。取引制御部１４０は、顧客操作受付部１１０、帳票入出力部１２０、明細票出力部１３０、通信制御部１５０を制御するソフトウェアである。取引制御部１４０は、あらかじめ登録された帳票定義情報１６０に格納された種々の帳票定義情報を参照し、これらの各処理部を制御する。
【００１３】
図２は、帳票取引装置１１０における帳票画像処理を示すフローチャートを示す。ステップ２０１では、イメージスキャナ部１２２で取込んだ帳票画像を帳票認識部１２３に転送する。ステップ２０２では、ステップ２０１において転送された帳票画像を帳票定義情報１６０を用いて入力帳票の帳票種類を識別する。ステップ２０３では、ステップ２０２において識別された帳票画像から特徴部位座標を抽出する。ステップ２０４では、ステップ２０３で抽出された特徴部位座標と、帳票定義情報１６０に格納されている特徴部位座標から、帳票画像上の特徴部位座標と帳票幅のずれ量を算出する。ステップ２０５では、ステップ２０４で算出された各ずれ量から、ずれが生じた要因を判別する。
【００１４】
ステップ２０６では、ステップ２０５で判別されたずれ要因に応じて、ステップ２０１で取込んだ帳票画像上の各処理対象座標の補正値を算出する。ステップ２０７では、ステップ２０６にて算出した補正値を用いて処理対象座標を補正し、帳票記載内容の認識処理を行う。ステップ２０８では、ステップ２０６にて算出した処理対象座標補正値を帳票搬送部１２１に伝送する。ステップ２０９では、ステップ２０８により伝送された処理対象座標補正値を用いて、帳票への印刷処理と、帳票切断処理を行う。
【００１５】
次に、帳票画像ずれ要因を判別する具体的方法について説明する。
図３は、２点の特徴部位座標をあらかじめ定義した帳票３０１の一例である。帳票左端付近の特徴部位３０３の例として帳票左端付近の出納印欄の座標（ｘ１，ｙ１）と、帳票右端付近の特徴部位３０４の例として帳票右端付近の出納印欄の座標（ｘ２，ｙ２）を定義しておく。またこの他に、帳票幅４０５の値Ｗを定義しておく。
【００１６】
図４は、帳票左端部の耳４０６、もしくは帳票右端部の耳４０７の耳付き要因により、ずれが生じた帳票画像４０１の一例である。帳票画像原点４０２を原点とする帳票左端付近の特徴部位４０３の位置座標（ｘ１’，ｙ１’）、帳票右端付近の特徴部位４０４の位置座標（ｘ２’，ｙ２’）、帳票幅４０５の値Ｗ’と、あらかじめ定義してある帳票３０１の特徴部位３０３の位置座標（ｘ１，ｙ１）、特徴部位３０４の位置座標（ｘ２，ｙ２）、帳票幅３０５の値Ｗとの差をとることにより、帳票画像の位置ずれ量を算出する。
【００１７】
帳票左端に対する特徴部位４０３の位置ずれ量４０８と、帳票左端に対する特徴部位４０４の位置ずれ量４０９が等しい場合は、帳票左端部の耳４０６により長さＭ１の位置ずれが発生したと判別する。帳票右端に対する特徴部位４０３の位置ずれ量４１０と、帳票右端に対する特徴部位４０４の位置ずれ量４１１が等しい場合は、帳票右端部の耳４０７により長さＭ２の位置ずれが発生したと判別する。帳票の端欠け要因により帳票画像にずれが生じた場合は、位置ずれ量Ｍ１またはＭ２の値が負（マイナス値）になることにより、判別する。
【００１８】
図５は、帳票搬送速度誤差要因により画像伸長が発生し、画像ずれが生じた帳票画像５０１の一例である。帳票画像原点５０１を原点とする帳票左端付近の特徴部位５０３の位置座標（ｘ１’’，ｙ１’’）、帳票右端付近の特徴部位５０４の位置座標（ｘ２’’，ｙ２’’）、帳票幅５０５の値Ｗ’’と、あらかじめ定義した帳票３０１の特徴部位３０３の位置座標（ｘ１，ｙ１）、特徴部位３０４の位置座標（ｘ２，ｙ２）、帳票幅３０５の値Ｗの差をとることにより、位置ずれ量を算出する。
【００１９】
帳票搬送速度誤差要因による位置ずれでは、搬送速度誤差量に比例して帳票画像全体に対し画像伸長が起きるため、帳票左端に対する特徴部位５０３の位置ずれ量５０６、帳票左端に対する特徴部位５０４の位置ずれ量５０７、帳票左端に対する帳票幅ずれ量５０８の順に、ずれ量の値が大きくなる関係式５０９が当てはまることにより判別する。
【００２０】
画像伸長時とは逆に、帳票搬送速度誤差要因により画像収縮が発生した場合は、帳票左端に対する特徴部位５０３の位置ずれ量５０６、帳票左端に対する特徴部位５０４の位置ずれ量５０７、帳票左端に対する帳票幅ずれ量５０８の順にずれ量が小さくなる関係式５１０が当てはまることにより判別する。
【００２１】
【発明の効果】
本発明によれば、イメージスキャナによる帳票画像の取得時に生じる帳票画像のずれに対し、ずれの発生要因に応じた適切なずれ補正を行うことにより、帳票に対して高精度に認識処理、印刷処理、切断処理を行うことが可能となる。
【図面の簡単な説明】
【図１】本発明の一実施例となる帳票入出力部を備える、帳票取引装置の構成図である。
【図２】図１の帳票取引装置における帳票画像処理を示すフローチャートである。
【図３】帳票の左端部付近と右端部付近から、２点の特徴部位座標を定義する帳票の一例である。
【図４】帳票端部の耳付き要因により、画像ずれが生じた帳票画像の一例である。
【図５】帳票搬送速度誤差要因により、画像ずれが生じた帳票画像の一例である。
【符号の説明】
１１０：顧客操作受付部、１２０：帳票入出力部、１３０：明細票出力部、１４０：取引制御部、１５０：通信制御部、１６０：帳票定義情報記憶部。
【図１】
2004326672.tif 000003
【図２】
2004326672.tif 000004
【図３】
2004326672.tif 000005
【図４】
2004326672.tif 000006
【図５】
2004326672.tif 000007